(57)【要約】　　　（修正有）【課題】良好な使用感が得られ、抗菌性、殺菌性を有すると供に、安眠効果の高い敷パッドを提供する。【解決手段】中綿１０ｂと表生地１０ａをキルティングした表キルティング布１０と、中綿１２ｂと裏生地１２ａをキルティングした裏キルティング布１２との周縁部を縫着して敷パッド本体１が袋状に形成される。敷パッド本体１の内側に炭素繊維入りシート２が配設される。炭素繊維入りシート２は、木酢液と竹酢液の少なくとも何れか一方を含浸させ乾燥処理した炭素繊維を、布で被覆してシート状に形成される。【選択図】　　図６
0003098293.tif 000002
【実用新案登録請求の範囲】
【請求項１】
中綿と表生地をキルティングした表キルティング布と、中綿と裏生地をキルティングした裏キルティング布との周縁部を縫着して敷パッド本体が袋状に形成され、該敷パッド本体の内側に炭素繊維入りシートが配設され、該炭素繊維入りシートが、木酢液と竹酢液の少なくとも何れか一方を含浸させ乾燥処理した炭素繊維を、布で被覆してシート状に形成されていることを特徴とする敷パッド。
【請求項２】
前記炭素繊維入りシートが面ファスナを介して着脱可能に該敷パッド本体内に取着されていることを特徴とする請求項１記載の敷パッド。
【請求項３】
前記炭素繊維入りシートは、前記炭素繊維の上下面に不織布が重ね合わされ、該不織布の上下に表生地と裏生地を当て縫着して構成されていることを特徴とする請求項１記載の敷パッド。
【考案の詳細な説明】
【０００１】
【考案の属する技術分野】
本考案は、寝具として使用する敷パッドに関し、特に優れた抗菌性と殺菌性を備えた木酢液、竹酢液を含浸させ乾燥処理してなる炭素繊維入りシートを敷パッド本体内に装着した敷パッドに関する。
【０００２】
【従来の技術】
ベッドなどの上に敷いて寝具として使用する敷パッドには、睡眠中に人体から発散される汗などが付着し、それによって汚れが酷くなると、敷パッドから臭いが発生し、使用感が悪化してしまう。
【０００３】
【考案が解決しようとする課題】
このため、従来では、敷パッドの中に木炭粒を収容して、吸湿や脱臭作用を生じさせ、臭いなどを生じさせないようにして、使い心地を改善した敷パッドが、下記特許文献１などで提案されている。
【０００４】
【特許文献１】
特開２００１−１７８５９６公報
【０００５】
しかし、この種の従来の敷パッドは、単に木炭粒を敷パッドの中に配設しただけであるため、使用時にはごつごつした違和感があり、敷パッドとして必要なクッション性、弾力性が少なく、使用感が悪い問題があった。また、使用により木炭粒に臭いや湿気が吸着された場合には、木炭粒を交換することになり、良好な状態で長く使用するためには、敷パッドの取り扱いが難しいという問題があった。
【０００６】
本考案は、上述の課題を解決するものであり、良好な使用感が得られ、抗菌性、殺菌性を有すると供に、安眠効果の高い敷パッドを提供することを目的とする。
【０００７】
【課題を解決するための手段】
本考案は上記の点に鑑みなされたもので、本考案の敷パッドは、中綿と表生地をキルティングした表キルティング布と、中綿と裏生地をキルティングした裏キルティング布との周縁部を縫着して敷パッド本体が袋状に形成され、敷パッド本体の内側に炭素繊維入りシートが配設され、炭素繊維入りシートが、木酢液と竹酢液の少なくとも何れか一方を含浸させ乾燥処理した炭素繊維を、布で被覆してシート状に形成されていることを特徴とする。
【０００８】
ここで、請求項２のように、上記炭素繊維入りシートは、面ファスナを介して着脱可能に敷パッド本体に取着することができる。
【０００９】
また、請求項３のように、上記炭素繊維入りシートは、その炭素繊維の上下面に不織布を重ね合せ、その不織布の上下に表生地と裏生地を当て縫着して構成することができる。
【００１０】
【作用】
上記のように構成された敷パッドは、ベッドなどの上に敷いて使用され、敷パッド本体の表キルティング布と裏キルティング布の間に炭素繊維入りシートが配置され、その上に使用者が寝ることになる。炭素繊維は良好な可とう性を有し、また、敷パッド本体が不織布などからなる中綿を表キルティング布と裏キルティング布を袋状にして形成され、その内側に炭素繊維入りシートを配設しているため、使用時にはごつごつ感のない良好な使用感が生じ、使用者は安眠と休養をとることができる。
【００１１】
また、木酢液、竹酢液を含浸させ乾燥処理した炭素繊維をシート内に内蔵しているため、そのシートを収容した敷パッドには良好な抗菌性、殺菌性が生じ、カビや菌類の繁殖を抑えて、衛生的に敷パッドを使用することができる。
【００１２】
さらに、炭素繊維には良好な消臭機能及び脱臭機能があるため、敷パッドに付着しやすい臭いを効果的に防止し、長期間快適に敷パッドを使用することができる。さらに、炭素繊維には、人の体温を受けて遠赤外線を放射する遠赤外線放射機能があるため、冬季などの寒冷時には、心地よいぬくもりが得られ、安眠効果を高めることができる。さらに、炭素繊維には、周囲にマイナスイオンを発生させる機能があるため、マイナスイオンの増加により使用者の健康を促進させることができる。
【００１３】
【考案の実施の形態】
以下、本考案の一実施形態を図面に基づいて説明する。図１は敷パッド１の上面斜視図を示し、図２はその裏面斜視図を示し、図３は裏生地を除去した状態で敷パッド本体１の裏面を見た裏面図を示している。敷パッド本体１は、中綿と表生地をキルティングした表キルティング布１０と、中綿と裏生地をキルティングした裏キルティング布１２との周縁部を縫着して袋状に形成される。また、敷パッド本体１の内側には、炭素繊維入りシート２が配設され、炭素繊維入りシート２は、木酢液と竹酢液の少なくとも何れか一方を含浸させ乾燥処理した炭素繊維３を、布で被覆してシート状に形成されている。
【００１４】
すなわち、敷パッド本体１の表キルティング布１０は、綿布などの表生地１０ａの裏側にポリエステル繊維の不織布などからなる中綿１０ｂをキルティングにより縫着して構成され、裏キルティング布１２も、同様に、綿布などの裏生地１２ａの裏側にポリエステル繊維の不織布などからなる中綿１２ｂをキルティングにより縫着して構成される。
【００１５】
そして、表キルティング布１０と裏キルティング布１２は、間に綿布などの中生地１１を介装した状態で、その周縁部を端布１３で包むように縫着し、敷パッド本体１が袋状に形成されている。図３に示すように、中生地１１の裏面側には、複数枚の炭素繊維入りシート２を取着するために、複数箇所に面ファスナ７が取着されている。また、図２に示すように、裏キルティング布１２には、複数のスリットが炭素繊維入りシート２の着脱のために形成され、各スリットにはスライドファスナ１５が縫着され、スリットを開閉可能としている。
【００１６】
炭素繊維入りシート２は、図４、図５に示すように、薄いシート状の炭素繊維３の上面と下面に不織布４を当ててそれを挟み、その上面に表生地５を当て、その下面に裏生地６を当てて重ね合わせ、それらをキルティング加工して、つまりキルティング状に縫い付けてシート状に形成されている。不織布４には綿またはポリエステルなどの合成繊維を素材とした不織布を使用することができ、表生地５、裏生地６には、綿の織布またはポリエステルなどの合成繊維の織布を使用することができる。
【００１７】
炭素繊維３は、例えばセルロース系、フェノール系，アラミド系の有機繊維を、酸化雰囲気中で加熱して不融化処理または耐炎化処理を施し、さらに不活性ガス中で加熱して炭素化し、製造される。また、このような炭素繊維には、賦活処理を施して吸着能の高い活性炭素繊維とすることもでき、またこの賦活処理により遠赤外線の放射機能も向上させることができる。
【００１８】
さらに、この炭素繊維３は、木酢液と竹酢液のまたは何れか一方の処理液中に、浸漬処理される。そして、木酢液、竹酢液を含浸させた炭素繊維は、乾燥炉で加熱乾燥される。これにより、炭素繊維３には、木酢液や竹酢液が有する優れた抗菌性や殺菌性を持たせることができる。
【００１９】
このように製造される炭素繊維３は、シート状に形成され、可とう性を有しているが、繰り返しの曲げ応力や曲げ荷重がかかると、破壊しやすい。このために、炭素繊維入りシート２では、炭素繊維３の上下両側から不織布４で覆い、その表面と裏面に表生地５と裏生地６を覆い、それらをキルティング加工して、炭素繊維３を保護するようにしている。
【００２０】
炭素繊維入りシート２の裏面の四隅には、図４のように、敷パッド本体１内の中生地１１の裏面に着脱可能に取着するために、面ファスナ７が接着されている。また、炭素繊維入りシート２の長さと幅は、図３のように、敷パッド本体１の内側に入る程度に形成されている。
【００２１】
そして、上記のように形成された炭素繊維入りシート２は、図３に示すように、敷パッド本体１裏面のスライドファスナ１５を開き、その内側の中生地１１の裏面側に、面ファスナ７を用いて取着される。
【００２２】
上記のように構成された敷パッドは、寝具としてベッドのマットレスの上に、或いは布団の上に敷いて使用される。敷パッド本体１内に炭素繊維入りシート２が配置されているが、内蔵される炭素繊維３は良好な可とう性を有し、また、炭素繊維入りシート２には、不織布４を内側にキルティングで縫着した表生地５と裏生地６を使用している。
【００２３】
したがって、炭素繊維入りシート２は、良好な柔軟性とクッション性があり、また、敷パッド本体１も、柔軟性とクッション性の良好な表キルティング布１０と裏キルティング布１２を用いて袋状に形成され、その内部に炭素繊維入りシート３が使用されるため、敷パッド使用時にはごつごつ感のない良好な使用感が生じ、使用者は安眠と休養をとることができる。
【００２４】
また、炭素繊維入りシート２が敷パッド本体１の内部に配設され、シート２内には木酢液、竹酢液を含浸させ乾燥処理した炭素繊維３が内蔵されているため、敷パッドには良好な抗菌性、殺菌性が生じ、カビや菌類の繁殖を抑えて、衛生的に敷パッドを使用することができる。
【００２５】
さらに、ここで使用される炭素繊維３は、賦活処理を施して吸着能の高い活性炭素繊維とされ、高い消臭機能及び脱臭機能があるため、敷パッドに付着しやすい臭いを効果的に防止し、長期間快適に敷パッドを使用することができる。また、炭素繊維３には、この賦活処理により遠赤外線の放射機能も良好となって、人の体温を受けて遠赤外線を放射する高い遠赤外線放射機能があるため、冬季などの寒冷時には、心地よいぬくもりが得られ、安眠効果を高めることができる。さらに、炭素繊維３には、周囲にマイナスイオンを発生させる機能があるため、マイナスイオンにより使用者の健康を促進させることができる。
【００２６】
また、上記敷パッドを使用して睡眠をとった際、睡眠中の使用者の脳波を測定する実験を行なった。その実験結果によれば、睡眠中に炭素繊維３から発生するマイナスイオンなどが人の脳に作用して、使用者の脳からのα波の発生が通常より促進される結果が得られた。
【００２７】
ところで、敷パッドを使用して、敷パッド本体１が汚れた場合、炭素繊維入りシート２を本体から外した状態で、本体１を手洗いまたは洗濯機などで簡単に洗濯することができる。
【００２８】
一方、炭素繊維入りシート２が汚れたり、或いは消臭機能及び脱臭機能が低下した場合には、その敷パッド本体１の裏面のスライドファスナ１５を開き、そこから炭素繊維入りシート２を面ファスナ７から取り外し、お湯などで洗うことができる。
【００２９】
この場合、炭素繊維入りシート２をお湯またはぬるま湯で軽く押し洗いすればよく、軽い押し洗いでは、炭素繊維３が破壊することはなく、その後、天日干しすれば、シート２に付着した汚れを落とすと共に、炭素繊維３の消臭機能及び脱臭機能を復元させることができる。したがって、炭素繊維入りシート２を洗うことにより、本敷パッドの上記のような優れた機能を、長期間にわたって利用することができる。
【００３０】
【考案の効果】
以上説明したように、本考案の敷パッドによれば、中綿と表生地をキルティングした表キルティング布と、中綿と裏生地をキルティングした裏キルティング布とを袋状に縫着して形成した敷パッド本体内に、炭素繊維入りシートを装着しているため、柔軟性とクッション性の良い敷パッドとすることができ、使用時にはごつごつ感のない良好な使用感が生じ、使用者は安眠と休養をとることができる。また、炭素繊維入りシートは、木酢液、竹酢液を含浸させ乾燥処理した炭素繊維をシート内に収容しているため、敷パッドには良好な抗菌性、殺菌性が生じ、カビや菌類の繁殖を抑えて、衛生的に敷パッドを使用することができる。さらに、炭素繊維には良好な消臭機能及び脱臭機能があるため、敷パッドに付着しやすい臭いを効果的に防止し、長期間快適に敷パッドを使用することができる。
【００３１】
さらに、炭素繊維には、人の体温を受けて遠赤外線を放射する遠赤外線放射機能があるため、冬季などの寒冷時には、心地よいぬくもりが得られ、安眠効果を高めることができる。さらに、炭素繊維には、周囲にマイナスイオンを発生させる機能があるため、マイナスイオンの増加により使用者の健康を促進させることができる。
【図面の簡単な説明】
【図１】本考案の一実施形態を示す敷パッドの上面斜視図である。
【図２】同敷パッドの下面斜視図である。
【図３】同敷パッドの裏キルティング布を除去した状態で裏面から見た裏面図である。
【図４】本敷パッドに使用する炭素繊維入りシートの平面図である。
【図５】同炭素繊維入りシートの断面図である。
【図６】敷パッドの断面図である。
【符号の説明】
１−敷パッド本体
２−炭素繊維入りシート
３−炭素繊維
４−不織布
５−表生地
６−裏生地
７−面ファスナ
１０−表キルティング布
１０ａー表生地
１０ｂ−中綿
１１−中生地
１２−裏キルティング布
１２ａ―裏生地
１２ｂ−中綿
【図１】
0003098293.tif 000003
【図２】
0003098293.tif 000004
【図３】
0003098293.tif 000005
【図４】
0003098293.tif 000006
【図５】
0003098293.tif 000007
【図６】
0003098293.tif 000008